(57)【要約】【課題】グリルの通過風量を設定風量に容易に調整することができる、ダクトを用いた強制送風システムにおけるグリル開度決定方法を提供する。【解決手段】使用するダクトの長さ寸法及び曲がり部の数と、該ダクトの圧力損失値との関係を予め求めておき、  前記グリルは、ダクトの圧力損失値に対応する開度に調整することができるようになされており、  前記関係に基づいて、施工される又は施工されたダクトの長さ寸法及び曲がり部の数から該ダクトの圧力損失値を求め、グリルの開度を該ダクトの圧力損失値に対応する開度に調整することで、グリルの通過風量を設定風量に調整する【選択図】      図１
2006010112.tif 000002
【特許請求の範囲】
【請求項１】
ファンを収納したケーシングと、
グリルと、
前記ケーシングとグリルとをつなぐダクトと
が備えられ、ファンの駆動により、空気がグリルを通じて吹き出す又は吸い込まれるようになされた強制送風システムにおけるグリル開度決定方法であって、
使用するダクトの長さ寸法及び曲がり部の数と、該ダクトの圧力損失値との関係を予め求めておき、
前記グリルは、ダクトの圧力損失値に対応する開度に調整することができるようになされており、
前記関係に基づいて、施工される又は施工されたダクトの長さ寸法及び曲がり部の数から該ダクトの圧力損失値を求め、グリルの開度を該ダクトの圧力損失値に対応する開度に調整することで、グリルの通過風量を設定風量に調整することを特徴とする、ダクトを用いた強制送風システムにおけるグリル開度決定方法。
【請求項２】
前記グリルに、ダクトの圧力損失値とグリルの開度との関係を示す目盛り標示が備えられ、該目盛り標示に基づいて、圧力損失値に対応する開度に調整する、請求項１に記載の、ダクトを用いた強制送風システムにおけるグリル開度決定方法。
【請求項３】
前記システムにグリルが複数備えられ、各グリルがそれぞれダクトでケーシングにつなげられ、いずれかのグリルの開度を変更することで、他のグリルの通過風量が変化するようになされている請求項１又は２に記載の、ダクトを用いた強制送風システムにおけるグリル開度決定方法。
【発明の詳細な説明】
【技術分野】
【０００１】
本発明は、ダクトを用いた強制送風システムにおけるグリル開度決定方法に関する。
【背景技術】
【０００２】
例えば、住宅用等の建物の屋内を換気する目的で、ファンを収納したケーシングと、屋内への吹出し口となるグリルと、前記ケーシングとグリルとをつなぐダクトとを備え、ファンの駆動により、空気がグリルを通じて屋内に吹き出すようになされた強制給気システムが用いられることがある。
【０００３】
この強制給気システムでは、ファンの送風力が一定であっても、ダクトの長さなどの違いによってグリルから吹き出す空気量が異なったものになってしまうことから、グリルの開度を調整することで、グリルからの給気量を設定給気量に調整することができるようになされている。そして、グリルの開度の決定は、従来より、グリルからの風量の測定作業を通じて、その風量が設定風量となるようにグリルの開度を調整していくという方法で行われていた。
【発明の開示】
【発明が解決しようとする課題】
【０００４】
しかしながら、グリルからの風量測定作業は非常に厄介であり、グリルの開度を設定風量となるように調整していくのに時間と手間を要するという問題があった。
【０００５】
特に、グリルが複数備えられ、各グリルがそれぞれダクトでケーシングにつなげられ、いずれかのグリルの開度を変更することで、他のグリルの給気量が変化する構造となっている場合に、上記のような方法でグリル開度の調整を行ったのでは、いずれか一のグリルの開度を設定風量に調整した後に、他のグリルの開度を設定風量に調整すると、設定風量に調整したはずの前記一のグリルからの風量が変化をしてしまい、すべてのグリルが設定風量となるように調整していくのは、困難をきわめる作業となってしまう。
【０００６】
本発明は、上記のような問題点に鑑み、グリルの通過風量を設定風量に容易に調整することができる、ダクトを用いた強制送風システムにおけるグリル開度決定方法を提供することを課題とする。
【課題を解決するための手段】
【０００７】
上記の課題は、ファンを収納したケーシングと、
グリルと、
前記ケーシングとグリルとをつなぐダクトと
が備えられ、ファンの駆動により、空気がグリルを通じて吹き出す又は吸い込まれるようになされた強制送風システムにおけるグリル開度決定方法であって、
使用するダクトの長さ寸法及び曲がり部の数と、該ダクトの圧力損失値との関係を予め求めておき、
前記グリルは、ダクトの圧力損失値に対応する開度に調整することができるようになされており、
前記関係に基づいて、施工される又は施工されたダクトの長さ寸法及び曲がり部の数から該ダクトの圧力損失値を求め、グリルの開度を該ダクトの圧力損失値に対応する開度に調整することで、グリルの通過風量を設定風量に調整することを特徴とする、ダクトを用いた強制送風システムにおけるグリル開度決定方法によって解決される。
【０００８】
この方法では、施工される又は施工されたダクトの長さ寸法及び曲がり部の数を設計図や現場などから拾い取り、それに基づいてそのダクトの圧力損失値を上記の関係から求め、そして、グリルの開度をその圧力損失値に対応する開度に調整すれば、グリル通過風量は設定風量に調整され、グリルの通過風量を、現場での風量測定を行うことなく、設定風量に容易に調整することができる。
【０００９】
上記の方法において、前記グリルに、ダクトの圧力損失値とグリルの開度との関係を示す目盛り標示が備えられ、該目盛り標示に基づいて、圧力損失値に対応する開度に調整する場合は、グリルの開度の調整をその目盛り標示を使って容易に行っていくことができる。
【００１０】
また、前記システムにグリルが複数備えられ、各グリルがそれぞれダクトでケーシングにつなげられ、いずれかのグリルの開度を変更することで、他のグリルの通過風量が変化するようになされている場合は特に、各グリルについて、上記の調整を行っていけば、最終的に、すべてのグリルの通過風量を設定風量することができる。
【発明の効果】
【００１１】
本発明は、以上のとおりのものであるから、グリルの通過風量を設定風量に容易に調整することができる。
【発明を実施するための最良の形態】
【００１２】
次に、本発明の実施最良形態を図面に基づいて説明する。
【００１３】
本実施形態は、住宅用等の建物の屋内換気に用いられる図１及び図２に示すような強制給気システムを対象とする。該強制給気システムは、ファン１を収納したケーシング２と、屋内への給気口となる複数個のグリル３…と、前記ケーシング２とグリル３…とをつなぐ複数本のダクト４…とを備えている。ファン１を収納したケーシング２は、例えば廊下などの天井裏に配設され、グリル３…は、居室やリビング、ダイニング等の各室の天井部に室内に面するように取り付けられ、ダクト４…は、ケーシング２とグリル３とをつなぐように天井裏を延ばされ、ファン１を駆動することにより、空気が各グリル３…を通じて各室に吹き出すようになされている。なお、８は外気吸込み用のダクトである。
【００１４】
グリル３…は、図２（イ）（ロ）に示すように、天井部５に埋め込み状態に取り付けられるベース部品６と、ベース部品６に回転できるように内嵌め状態にされて室内に面するグリル本体部品７とを備えている。そして、ベース部品６にはその側面部にダクト接続口６ａが備えられると共に、グリル本体部品７にはダクト接続口６ａの開度を調整する遮蔽部７ａが上方突出状態に備えられ、グリル本体部品７を回転することにより、遮蔽部７ａがベース部品６のダクト接続口６ａの開口面積を大小変化させ、グリル３の開度を調整できるようになされている。また、上記のシステムは、いずれかのグリルの開度を変更すると、それに反応にして、他のグリル３の通過風量が変化する構造となっている。
【００１５】
上記の強制給気システムでは、ケーシング２とグリル３とをつなぐダクト４の長さ寸法が大きくなればなるほど、また、該ダクト４の曲がり部４ａの数が多くなればなるほど、ダクト４を通過する空気の圧力損失は大きくなって、グリル３から吹き出す空気の風量は小さくなる。本実施形態では、図１に示すように、ケーシング２と各グリル３…との配置関係がそれぞれ異なっているので、ケーシング２とグリル３…とをつなぐ各ダクト４…の長さ寸法及び曲がり部の数はそれぞれに異なっており、そのため、各グリル３の開度を同じに設定したのでは、圧力損失の違いにより、各グリル３…から吹き出す空気の風量は同じにならない。
【００１６】
そこで、本実施形態では、各グリル３…から吹き出す空気の風量が所定の同じ風量となるように、次の方法で、各グリル３…の開度を決定していく。
【００１７】
即ち、上記の強制給気システムに使用されるダクト４について、その長さ寸法及び曲がり部の数と、該ダクト４の圧力損失値との関係を予め求めておく。また、図２（ハ）に示すように、ダクト４の圧力損失値とグリル３の開度との関係を示す目盛り標示９を、例えば、グリル３の本体部品７の下面部等に設けるなどして、各グリル３…を、各ダクト４…の圧力損失値に対応する開度に調整することができるようにしておく。つまり、ダクトの長さ寸法及び曲がり部の数と、グリルの開度とを、ダクトの圧力損失値を介して関連付けしておく。なお、各グリル３…の基準開度位置は、ダクトによる圧力損失がない場合に吹出し空気の風量が設定風量となるような開度位置に設定しておけばよい。
【００１８】
そして、施工される又は施工された各ダクト４…について、それらの長さ寸法及び曲がり部の数を、設計図や現場などから拾い取り、上記の関係に基づいて、各ダクト４…の圧力損失値を求め、各グリル３…について、上記の目盛り標示９をもとに、グリル本体部品７を回転させ、グリル３の開度を圧力損失値に対応する開度に調整する。なお、グリル３の開度調整は、システムを現場に施工した後に行われてもよいし、ダクトの長さ寸法及び曲がり部の数を設計段階で知ることができるのであれば、システムの現場施工前の段階で予め行っておくようにしてもよい。このようにして、各グリル３…から吹き出す空気の風量を所定の互いに同じ風量にすることができる。
【００１９】
上記の方法によれば、システムに使用するダクト４の長さ寸法及び曲がり部の数と、グリルの開度とをダクトの圧力損失値を介して関連付けするようにしたものであるから、ダクトの長さ寸法及び曲がり部の数からグリル３の開度を決定することができ、現場で風量測定を行わなくとも、グリル３から吹き出す空気の風量を設定風量に容易に調整することができる。
【００２０】
しかも、上記の実施形態では、システムにグリル３…が複数備えられ、各グリル３…がそれぞれダクト４…でケーシング２につなげられ、いずれかのグリルの開度を変更することで、他のグリルの吹出し風量が変化するようになされているが、各グリル３…について、上記の調整を行っていけば、調整の過程で各グリル３での風量が設定風量にならなかったり、また、風量が変化しても、すべてのグリル３…について上記の調整を終えた後には、すべてのグリルの風量が同じ風量になり、風量測定でグリル開度の決定を行っていく場合に比べて、グリルの開度調整をきわめて容易に行っていくことができる。
【００２１】
以上に、本発明の実施形態を示したが、本発明はこれに限られるものではなく、発明思想を逸脱しない範囲で各種の変更が可能である。例えば、上記の実施形態では、各グリル３…からの吹出し風量を同じに設定する場合を示しているが、各グリル３…での吹出し風量が互いに異なる設定風量となるように調整する場合のグリル開度の決定に用いることも可能である。また、グリルが複数で各グリルに接続されるダクトの種類が異なるようなシステムにおけるグリルの開度決定に用いることも可能である。
【００２２】
また、上記の実施形態では、グリルの開度調整のためにグリルに目盛り標示を付した場合を示しているが、そのような標示を付すことなく、グリル本体部品を角度定規などを用いてダクトの圧力損失値に見合う角度だけ回転するようにしてもよい。
【００２３】
更に、本発明では、グリルの形態や形式に制限はなく、例えば、リニアスライド式などで風量を調整できる構造などのグリルであってもよいし、グリルとダクトがそれぞれ一つづつ備えられているシステムに用いることもできるし、強制排気システムに用いることもできるし、換気に限らず、空気調和、空気清浄等において用いられる強制送風システムに用いることもできる。
【図面の簡単な説明】
【００２４】
【図１】実施形態の方法に用いられるシステムの構成図である。
【図２】図（イ）はグリルのベース部品と本体部品を分離状態にして示す側面図、図（ロ）はベース部品と本体部品を組み合わせた状態のグリルの側面図、図（ハ）はグリルの下面図である。
【符号の説明】
【００２５】
１…ファン
２…ケーシング
３…グリル
４…ダクト
９…目盛り標示
【図１】
2006010112.tif 000003
【図２】
2006010112.tif 000004